(57)【要約】【課題】マスクや衣服，肌などに噴きかける除菌剤を収納した除菌剤噴出器を提供する。【解決手段】除菌剤噴出器１０は、例えば、除菌剤を収納した容器本体１１と、容器本体１１に収納された除菌剤を噴出する噴出口１４とを有している。除菌剤は、貝殻焼成物粉末の表面の少なくとも一部にローズマリー抽出物を被覆した貝殻焼成カルシウム粉末を水に溶解又は分散したものである。貝殻焼成物の主成分である抗菌性を有する酸化カルシウムは水分や二酸化炭素と反応して炭酸カルシウムに戻るが、ローズマリー抽出物で表面の少なくとも一部を被覆することにより、炭酸カルシウムに戻ることを抑制することができる。【選択図】図１
0003227443.tif 000002
【実用新案登録請求の範囲】
【請求項１】
貝殻焼成物粉末の表面の少なくとも一部にローズマリー抽出物を被覆した貝殻焼成カルシウム粉末を水に溶解又は分散した除菌剤を収納した容器本体と、
この容器本体に収納された除菌剤を噴出する噴出口とを有する
ことを特徴とする除菌剤噴出器。
【請求項２】
前記容器本体に収納された除菌剤における貝殻焼成カルシウム粉末の濃度は、０．１質量％以上１０質量％以下であることを特徴とする請求項１記載の除菌剤噴出器。
【考案の詳細な説明】
【技術分野】
【０００１】
本考案は、肌や衣類などに噴きかける除菌剤を収納した除菌剤噴出器に関する。
【背景技術】
【０００２】
近年、ウイルスや細菌などに対する感染予防対策が重要視されている。殺菌剤としては、例えば、次亜塩素酸ナトリウムが挙げられ、食品分野でも広く使用されると共に、カビやウイルスなどに有効とされている。
【０００３】
また、貝殻を高温で焼成した貝殻焼成物は、貝殻の主成分である炭酸カルシウム（ＣａＣＯ３）が高温焼成により抗菌性を有する酸化カルシウム（ＣａＯ）に変化する。この貝殻焼成物は、食品添加物として使用されており、また、無味無臭であるので、抗菌素材として注目されている（例えば、特許文献１，非特許文献１参照）。
【先行技術文献】
【特許文献】
【０００４】
【特許文献１】特開２００９−２３４８０７号公報
【非特許文献】
【０００５】
【非特許文献１】「貝殻焼成物の抗菌作用について」  あいち産業科学技術総合センターニュース  ２０１８年７月号
【考案の概要】
【考案が解決しようとする課題】
【０００６】
そこで、このような除菌剤を、感染予防対策として、例えば、マスクや衣服，肌等に簡単に付けることができる器具の開発が望まれていた。
【０００７】
なお、次亜塩素酸ナトリウムには、漂白作用や塩素臭などの問題点があり、また、貝殻焼成物は、空気中の水分や二酸化炭素と反応して酸化カルシウムが炭酸カルシウムに戻ってしまい、抗菌性が低下してしまうという問題があった。
【０００８】
本考案は、このような問題に基づきなされたものであり、マスクや衣服，肌などに噴きかける除菌剤を収納した除菌剤噴出器を提供することを目的とする。
【課題を解決するための手段】
【０００９】
本考案の除菌剤噴出器は、貝殻焼成物粉末の表面の少なくとも一部にローズマリー抽出物を被覆した貝殻焼成カルシウム粉末を水に溶解又は分散した除菌剤を収納した容器本体と、この容器本体に収納された除菌剤を噴出する噴出口とを有するものである。
【考案の効果】
【００１０】
本考案の除菌剤噴出器によれば、貝殻焼成カルシウム粉末を水に溶解又は分散した除菌剤を収納した容器本体と、この容器本体に収納された除菌剤を噴出する噴出口とを有するようにしたので、簡単に、除菌剤を噴出して、例えば、マスクや衣服，肌などに噴きかけて除菌することができる。また、貝殻焼成物粉末の表面の少なくとも一部にローズマリー抽出物を被覆するようにしたので、貝殻焼成物が、空気中の水分や二酸化炭素と反応して酸化カルシウムが炭酸カルシウムに戻ってしまうことを抑制することができ、抗菌性が低下してしまうのを抑制することができる。
【図面の簡単な説明】
【００１１】
【図１】本考案の一実施の形態に係る除菌剤噴出器の構成を表す図である。
【考案を実施するための形態】
【００１２】
以下、本考案の実施の形態について、図面を参照して詳細に説明する。
【００１３】
図１は、本考案の一実施の形態に係る除菌剤噴出器１０の構成を表すものである。この除菌剤噴出器１０は、例えば、スプレーボトルに除菌剤を収納したものであり、例えば、除菌剤を収納した容器本体１１と、この容器本体１１に結合された噴出部１２（スプレーへッド）と、この噴出部１２に一端が配設され、他端部が容器本体１１の内部に挿入された吸上管１３とを有している。容器本体１１は、例えば、中空状であり、内部には除菌剤を収納する収納部が設けられ、一部に開口が設けられている。噴出部１２は、容器本体１１の開口に配設されており、除菌剤を噴出する噴出口１４が吸上管１３と連通されて設けられている。
【００１４】
この除菌噴出器１は、例えば、噴出部１２を上から押すと、容器本体１１に収納された除菌剤が吸上管１３を通り、噴出部１２に設けられた噴出口１４から、例えば、霧状となって噴出されるようになっている。これにより、除菌剤を、簡単に、マスクや衣服，肌などに噴きかけることができるようになっている。
【００１５】
除菌剤は、貝殻焼成物粉末の表面の少なくとも一部にローズマリー抽出物を被覆した貝殻焼成カルシウム粉末を水に溶解又は分散したものである。貝殻焼成物は、貝殻を、例えば、９００℃から１０００℃で焼成することにより、主成分である炭酸カルシウムが抗菌性を有する酸化カルシウムに変化したものである。この酸化カルシウムは、無味無臭なので、種々の物の除菌に使用できるようになっている。
【００１６】
ローズマリー抽出物は、酸化防止効果を有する成分である。貝殻焼成物粉末は、水分や二酸化炭素と反応して、酸化カルシウムが炭酸カルシウムに戻ってしまい抗菌性が低下してしまうが、ローズマリー抽出物で表面の少なくとも一部を被覆することにより、酸化カルシウムが炭酸カルシウムに戻ってしまうことを抑制することができるようになっている。ローズマリー抽出物の抽出方法としては、例えば、ローズマリーをアルコールなどの極性溶媒を用いて酸化防止効果を有する成分を抽出する方法や、ｎ-ヘキサンなどの非極性を用いて酸化防止効果を有する成分を抽出する方法などがある。
【００１７】
貝殻焼成物粉末をローズマリー抽出物で被覆する方法としては、例えば、貝殻焼成物粉末とローズマリー抽出物を混合して被覆する方法、あるいは、貝殻焼成物粉末と溶媒中にローズマリーを入れたものとを、例えば、高速混合器で混合し、溶媒等を蒸発させることにより、ローズマリー抽出物を被覆させる方法がある。
【００１８】
除菌剤における貝殻焼成物粉末の表面の少なくとも一部にローズマリー抽出物を被覆した貝殻焼成カルシウム粉末の濃度は、０．１質量％以上１０質量％以下であることが好ましい。濃度が低すぎると除菌の効力が低くなり、濃度が高すぎると分散が難しくなり、使用しにくくなるからである。
【００１９】
この除菌剤噴出器１は、例えば、マスク，衣服，肌，ドアノブ，テーブル，玩具，台所用品あるいはトイレまわり等の種々のものに除菌剤を噴きつけて除菌することが可能である。
【００２０】
このように本実施の形態によれば、貝殻焼成カルシウム粉末を水に溶解又は分散した除菌剤を収納した容器本体１１と、この容器本体１１に収納された除菌剤を噴出する噴出口１４とを有するようにしたので、簡単に、除菌剤を噴出して、例えば、マスクや衣服，肌などに噴きかけて除菌することができる。また、貝殻焼成物粉末の表面の少なくとも一部にローズマリー抽出物を被覆するようにしたので、貝殻焼成物が、空気中の水分や二酸化炭素と反応して酸化カルシウムが炭酸カルシウムに戻ってしまうことを抑制することができ、抗菌性が低下してしまうのを抑制することができる。
【００２１】
以上、実施の形態を挙げて本考案を説明したが、本考案は上記実施の形態に限定されるものではなく、種々変形可能である。例えば、上記実施の形態では、除菌剤噴出器１０として、スプレーボトルに除菌剤を収納したものについて説明したが、例えば、ピストルタイプのスプレー容器、エアゾール、加湿器などであってもよい。また、上記実施の形態では、各構成要素について具体的に説明したが、全ての構成要素を備えていなくてもよく、また、他の構成要素を備えていてもよい。
【符号の説明】
【００２２】
１０…除菌剤噴出器、１１…容器本体、１２…噴出部、１３…吸上管、１４…噴出口
【図１】
0003227443.tif 000003